(57)【要約】【課題】室内用効能成分供給装置の小型化を達成する。【解決手段】室内用効能成分供給装置１０のメインユニット１４には、芳香成分を含む渦輪Ｖ１を発射する空気砲１１が設けられるとともに、渦輪Ｖ１に衝突させるための渦輪Ｖ２を発射する空気砲１２が設けられている。また、メインユニット１４には芳香成分を発生させる芳香供給ユニット１６が組み込まれており、この芳香供給ユニット１６は空気砲１１と空気砲１２との間に設置されている。このように、メインユニット１４に対して芳香供給ユニットや空気砲１１，１２を一体に設けることにより、室内用効能成分供給装置１０の小型化を達成することが可能となる。しかも、間隔を空けて配置する必要がある空気砲１１と空気砲１２との間に芳香供給ユニット１６を設置したので、スペースを有効に利用して室内用効能成分供給装置１０の小型化を達成することが可能となる。【選択図】図２
2010022577.tif 000002
【特許請求の範囲】
【請求項１】
第１空気渦とこれに衝突させる第２空気渦とを所定位置に向けて発射し、前記第１空気渦と前記第２空気渦との少なくともいずれか一方に含まれる効能成分を所定位置で拡散させるメインユニットを有し、
前記メインユニットには、前記第１空気渦を発射する第１発射手段と、前記第２空気渦を発射する第２発射手段と、前記第１発射手段と前記第２発射手段との少なくともいずれか一方に効能成分を供給する成分供給手段とが一体に設けられることを特徴とする室内用効能成分供給装置。
【請求項２】
請求項１記載の室内用効能成分供給装置において、
前記成分供給手段は、前記第１発射手段と前記第２発射手段との間に設置されることを特徴とする室内用効能成分供給装置。
【請求項３】
請求項１または２記載の室内用効能成分供給装置において、
前記成分供給手段は、芳香成分を供給する芳香供給部と、オゾンを供給するオゾン供給部とを備えることを特徴とする室内用効能成分供給装置。
【請求項４】
請求項３記載の室内用効能成分供給装置において、
前記オゾン供給部は、前記芳香供給部にオゾンを供給する第１消臭モードと、室内にオゾンを放出する第２消臭モードとを備えることを特徴とする室内用効能成分供給装置。
【請求項５】
請求項１〜４のいずれか１項に記載の室内用効能成分供給装置において、
前記メインユニットは、複数の発射位置に回動自在に設けられることを特徴とする室内用効能成分供給装置。
【請求項６】
請求項１〜５のいずれか１項に記載の室内用効能成分供給装置において、
前記第１発射手段と前記第２発射手段との少なくともいずれか一方は、前記メインユニットのベース部材に対して回動自在に設けられ、
前記第１発射手段と前記第２発射手段との少なくともいずれか一方を回動させることにより、前記第１空気渦と前記第２空気渦とが衝突するまでの飛行距離を可変させることを特徴とする室内用効能成分供給装置。
【請求項７】
請求項６記載の室内用効能成分供給装置において、
利用者の位置を検出する位置検出手段を有し、前記前記第１発射手段と前記第２発射手段との少なくともいずれか一方は、前記位置検出手段からの位置情報に基づいて回動されることを特徴とする室内用効能成分供給装置。
【発明の詳細な説明】
【技術分野】
【０００１】
本発明は、利用者に効能成分を供給する室内用効能成分供給装置に関する。
【背景技術】
【０００２】
室内の環境を良好に保つため、芳香成分や湿気成分等(以下、効能成分という)を室内に供給する供給装置が提案されている。しかしながら、室内に多量の効能成分を充満させてしまうことは、利用者に対して効果的に効能成分を供給するものではなかった。そこで、利用者に向けて発射される渦輪に対して効能成分を含めるようにした供給装置が提案されている(たとえば、特許文献１参照)。この供給装置を用いることにより、効能成分を局所的に供給することができるため、利用者に対して効果的に効能成分を供給することが可能となる。
【特許文献１】特開２００４−８１８５１号公報
【発明の開示】
【発明が解決しようとする課題】
【０００３】
ところで、利用者に対して渦輪を直接当ててしまうと、風圧による違和感を与えてしまうおそれがある。そこで、複数の渦輪を互いに衝突させて消滅させることにより、利用者に対する違和感を解消することが考えられている。しかしながら、互いに衝突させるために複数の渦輪を発射させる構造は、供給装置の大型化を招く要因となっていた。
【０００４】
本発明の目的は、室内用効能成分供給装置の小型化を図ることにある。
【課題を解決するための手段】
【０００５】
本発明の室内用効能成分供給装置は、第１空気渦とこれに衝突させる第２空気渦とを所定位置に向けて発射し、前記第１空気渦と前記第２空気渦との少なくともいずれか一方に含まれる効能成分を所定位置で拡散させるメインユニットを有し、前記メインユニットには、前記第１空気渦を発射する第１発射手段と、前記第２空気渦を発射する第２発射手段と、前記第１発射手段と前記第２発射手段との少なくともいずれか一方に効能成分を供給する成分供給手段とが一体に設けられることを特徴とする。
【０００６】
本発明の室内用効能成分供給装置は、前記成分供給手段は、前記第１発射手段と前記第２発射手段との間に設置されることを特徴とする。
【０００７】
本発明の室内用効能成分供給装置は、前記成分供給手段は、芳香成分を供給する芳香供給部と、オゾンを供給するオゾン供給部とを備えることを特徴とする。
【０００８】
本発明の室内用効能成分供給装置は、前記オゾン供給部は、前記芳香供給部にオゾンを供給する第１消臭モードと、室内にオゾンを放出する第２消臭モードとを備えることを特徴とする。
【０００９】
本発明の室内用効能成分供給装置は、前記メインユニットは、複数の発射位置に回動自在に設けられることを特徴とする。
【００１０】
本発明の室内用効能成分供給装置は、前記第１発射手段と前記第２発射手段との少なくともいずれか一方は、前記メインユニットのベース部材に対して回動自在に設けられ、前記第１発射手段と前記第２発射手段との少なくともいずれか一方を回動させることにより、前記第１空気渦と前記第２空気渦とが衝突するまでの飛行距離を可変させることを特徴とする。
【００１１】
本発明の室内用効能成分供給装置は、利用者の位置を検出する位置検出手段を有し、前記前記第１発射手段と前記第２発射手段との少なくともいずれか一方は、前記位置検出手段からの位置情報に基づいて回動されることを特徴とする。
【発明の効果】
【００１２】
本発明によれば、メインユニットに、第１空気渦を発射する第１発射手段と、第２空気渦を発射する第２発射手段と、第１発射手段と第２発射手段との少なくともいずれか一方に効能成分を供給する成分供給手段とを一体に設けるようにしたので、室内用効能成分供給装置の小型化を達成することが可能となる。
【００１３】
しかも、間隔を空けて配置する必要がある第１発射手段と第２発射手段との間に成分供給手段を設置したので、スペースを有効に利用して室内用効能成分供給装置の小型化を達成することが可能となる。
【発明を実施するための最良の形態】
【００１４】
以下、本発明の実施の形態を図面に基づいて詳細に説明する。図１は本発明の一実施の形態である室内用効能成分供給装置１０(以下、供給装置という)の利用状況を示す説明図である。また、図２は供給装置１０の構成を示すブロック図であり、図３(Ａ)および(Ｂ)は供給装置１０が備える空気砲１１，１２の内部構造を示す説明図である。
【００１５】
図１に示すように、事務室等の室内に配置される机１３には、作業者(利用者)Ｗに芳香成分を供給する供給装置１０が設置されている。図２に示すように、供給装置１０にはメインユニット１４が設けられており、メインユニット１４の一端部には第１発射手段としての空気砲１１が固定され、メインユニット１４の他端部には第２発射手段としての空気砲１２が固定されている。また、空気砲１１からは芳香成分を含んだ空気の渦輪(第１空気渦)Ｖ１が発射されており、空気砲１２からは空気の渦輪(第２空気渦)Ｖ２が発射されている。これらの渦輪Ｖ１，Ｖ２は、作業者Ｗの鼻先に設定される効能領域Ａにおいて互いに衝突するように発射され、芳香成分を効能領域Ａで拡散させることが可能となっている。このように、一対の渦輪Ｖ１，Ｖ２を衝突させて渦輪Ｖ１，Ｖ２を打ち消すことにより、作業者Ｗに対して風圧による違和感を与えずに芳香成分を供給することが可能となる。
【００１６】
図３(Ａ)および(Ｂ)に示すように、空気砲１１，１２は、伸縮自在となる蛇腹形状のポンプ本体１１ａ，１２ａと、ポンプ本体１１ａ，１２ａを伸縮させるポンプ駆動部１１ｂ，１２ｂと、円筒形状の砲身部１１ｃ，１２ｃとによって構成されている。また、ポンプ駆動部１１ｂ，１２ｂには前後進駆動されるロッド部材１１ｄ，１２ｄが組み込まれており、このロッド部材１１ｄ，１２ｄはポンプ駆動部１１ｂ，１２ｂ内の図示しない電動モータによって駆動される。そして、図３(Ｂ)に示すように、ロッド部材１１ｄ，１２ｄを前進移動させてポンプ本体１１ａ，１２ａを急速に縮めることにより、ポンプ本体１１ａ，１２ａ内の空気を渦輪Ｖ１，Ｖ２として発射することが可能となる。なお、空気砲１１の砲身部１２ｃに対して芳香成分を充填することにより、空気砲１１から芳香成分を含んだ渦輪Ｖ１を発射させている。
【００１７】
図２に示すように、メインユニット１４には、空気砲１１に芳香成分を供給する芳香供給ユニット(成分供給手段，芳香供給部)１６が設けられており、この芳香供給ユニット１６は、芳香成分を発生させる芳香成分発生部１７と、芳香成分を砲身部１１ｃに送り込む芳香成分充填部１８とによって構成されている。芳香成分発生部１７は、それぞれに異なる芳香成分が貯留される図示しない複数の芳香容器や、芳香容器の開閉状態を制御する図示しない電磁バルブ等によって構成されている。また、芳香成分充填部１８は、芳香成分を砲身部１１ｃに圧送する図示しない圧送ポンプ等によって構成されている。そして、電磁バルブの切換制御や圧送ポンプの駆動制御を実行することにより、選択された芳香成分を空気取入口１９から取り込まれる空気と共に砲身部１１ｃに対して供給することが可能となっている。さらに、メインユニット１４には双方のポンプ駆動部１１ｂ，１２ｂに接続される空気砲駆動回路２０が設けられており、空気砲駆動回路２０は後述する制御ユニット３４からの制御信号に基づいて駆動電流を制御している。そして、この駆動電流をポンプ駆動部１１ｂ，１２ｂに供給することにより、空気砲１１，１２から渦輪Ｖ１，Ｖ２を発射することが可能となっている。
【００１８】
さらに、芳香成分を切り換える際に芳香供給ユニット１６内を消臭したり、室内に残存する芳香成分を消臭したりするため、メインユニット１４には効能成分としてのオゾン(Ｏ３)を供給するオゾン供給ユニット(成分供給手段，オゾン供給部)２１が組み込まれている。このオゾン供給ユニット２１は、針状の放電電極２２ａと環状の対向電極２２ｂとを備える放電部２２と、この放電部２２に空気を供給する送風ファン２３とによって構成されている。また、オゾン供給ユニット２１にはオゾン供給路２４を介して流路切換部２５が接続されている。この流路切換部２５には、芳香供給ユニット１６に連通する第１供給路２６と、メインユニット１４の放出口２７に連通する第２供給路２８とが接続されている。
【００１９】
このようなオゾン供給ユニット２１を用いてオゾンを生成する際には、送風ファン２３を駆動して放電部２２に空気を供給しながら、放電部２２に対して高電圧を印加する。これにより、放電電極２２ａの先端近傍で無声放電を生じさせてオゾンを生成することが可能となる。そして、流路切換部２５を切り換えてオゾン供給路２４と第１供給路２６とを連通させることにより、芳香供給ユニット１６内にオゾンを供給する第１消臭モードを実行することが可能となる。また、流路切換部２５を切り換えてオゾン供給路２４と第２供給路２８とを連通させることにより、室内にオゾンを放出する第２消臭モードを実行することが可能となる。なお、送風ファン２３に対して駆動電流を供給するため、メインユニット１４には駆動電流を制御するファン駆動回路３０が設けられている。また、放電部２２に対して高電圧を印加するため、メインユニット１４には印加電圧を制御する高電圧発生回路３１が設けられている。
【００２０】
さらに、メインユニット１４には回転モータ３２が組み付けられており、この回転モータ３２を駆動することによって、複数の発射位置にメインユニット１４を回動させることが可能となる。また、回転モータ３２に駆動電流を供給するため、メインユニット１４には駆動電流を制御するモータ駆動回路３３が設けられている。このモータ駆動回路３３は後述する制御ユニット３４からの制御信号に基づいて駆動電流を制御している。
【００２１】
前述した空気砲１１，１２、芳香供給ユニット１６、オゾン供給ユニット２１、回転モータ３２等を制御するため、メインユニット１４には制御ユニット３４が設けられている。この制御ユニット３４は、図示しないマイクロプロセッサ(ＣＰＵ)を備えており、このＣＰＵにはバスラインを介してＲＯＭ、ＲＡＭおよびＩ／Ｏポートが接続される。ＲＯＭには制御プログラムや各種マップデータなどが格納されており、ＲＡＭにはＣＰＵで演算処理したデータが一時的に格納されている。さらに、制御ユニット３４には、空気砲１１，１２の作動モード等を設定する際に操作されるスイッチ３５、作業者Ｗの位置を検出する位置検出手段としてのカメラ３６等が接続されている。そして、制御ユニット３４は、スイッチ３５の操作信号やカメラ３６からの位置情報に基づいて各種制御信号を演算し、空気砲１１，１２の作動状態や回動位置を制御することになる。なお、カメラ３６としては、作業者Ｗからの発熱量を映像化することによって位置を検出する赤外線カメラが設けられており、この赤外線カメラの位置情報に基づいて空気砲１１，１２を鼻先に向けて精度良く回動させているが、赤外線カメラに限られることはなく、他の方法によって作業者Ｗの位置を検出しても良い。
【００２２】
続いて、メインユニット１４による渦輪Ｖ１，Ｖ２の発射状況について説明する。ここで、図４(Ａ)は机１３の一端側で作業する作業者Ｗ１に向けて芳香成分を供給する際の発射状況を示す説明図である。また、図４(Ｂ)は机１３の他端側で作業する作業者Ｗ２に向けて芳香成分を供給する際の発射状況を示す説明図である。なお、図４(Ａ)および(Ｂ)には、作業者Ｗ１，Ｗ２としてその頭部のみが図示されている。
【００２３】
図４(Ａ)および(Ｂ)に示すように、作業者Ｗ１に芳香成分を供給する場合には、制御ユニット３４からの制御信号に基づいて回転モータ３２が駆動制御され、図４(Ａ)に示すように、作業者Ｗ１に対して空気砲１１，１２を向ける第１発射位置にメインユニット１４が回動する。そして、双方の空気砲１１，１２から渦輪Ｖ１，Ｖ２を発射させることにより、作業者Ｗ１の鼻先に設定される効能領域Ａ１において芳香成分を拡散させることが可能となる。一方、作業者Ｗ２に芳香成分を供給する場合には、制御ユニット３４からの制御信号に基づいて回転モータ３２が駆動制御され、図４(Ｂ)に示すように、作業者Ｗ２に対して空気砲１１，１２を向ける第２発射位置にメインユニット１４が回動する。そして、双方の空気砲１１，１２から渦輪Ｖ１，Ｖ２を発射することにより、作業者Ｗ２の鼻先に設定された効能領域Ａ２において芳香成分を拡散させることが可能となる。
【００２４】
ここで、図５は供給装置１０による効能領域の設定範囲を示す説明図である。図５に示すように、メインユニット１４を回動させるようにしたので、１つの供給装置１０を設けた場合であっても、幅広く効能領域を設定することができ、幅広い範囲αに芳香成分を供給することが可能となる。しかも、メインユニット１４に対して空気砲１１，１２を固定し、これらを一体に回動させる構造を有することから、回動機構の簡素化を図ることができるため、供給装置１０の低コスト化を図ることが可能となる。なお、図示する場合には、メインユニット１４を第１発射位置と第２発射位置との間で回動させているが、第１発射位置や第２発射位置を超えてメインユニット１４を回動させるようにしても良い。
【００２５】
これまで説明したように、メインユニット１４に対して芳香供給ユニット１６やオゾン供給ユニット２１を一体に組み込むとともに、メインユニット１４に対して空気砲１１，１２を一体に設けるようにしたので、供給装置１０の小型化を達成することが可能となる。これにより、机１３の限られたスペースに供給装置１０を無理なく設置することが可能となる。また、渦輪Ｖ１，Ｖ２を互いに衝突させるため、所定の間隔を空けて空気砲１１，１２を設置する必要があるが、この空気砲１１，１２の間のスペースに芳香供給ユニット１６等を配置するようにしたので、スペースを有効に利用して供給装置１０の小型化を達成することが可能となる。
【００２６】
また、作業者Ｗのスイッチ操作によって芳香成分の種類が切り換える際には、第１消臭モードを実行して芳香供給ユニット１６にオゾンを供給するようにしている。これにより、切換前の芳香成分を消臭することができ、切換前と切換後の芳香成分を混ぜ合わせることがないため、作業者Ｗに違和感を与えることなく芳香成分を切り換えることが可能となる。さらに、作業者Ｗのスイッチ操作によって第２消臭モードが設定された場合には、オゾン供給ユニット２１からのオゾンがメインユニット１４の放出口２７から放出されるようになっている。これにより、室内の消臭や除菌を行うことができるため、室内環境を良好に保つことが可能となる。
【００２７】
なお、図示する場合には、机１３の上に供給装置１０を設置しているが、この位置に限られることはなく、壁や天井等に供給装置１０を設置することも可能である。また、壁や天井等に設置されるエアコンディショナに対して、供給装置を組み付けるようにしても良い。この場合には、メインユニット１４の放出口２７を、エアコンディショナの送風経路に接続しても良い。これにより、オゾンをエアコンディショナの送風経路に対して供給することができ、エアコンディショナ内の消臭や除菌を行うことが可能となる。
【００２８】
次いで、本発明の他の実施の形態である室内用効能成分供給装置４０(以下、供給装置という)について説明する。図６(Ａ)および(Ｂ)は本発明の他の実施の形態である供給装置４０を示す説明図である。図６(Ａ)には机１３の一端側で作業する作業者Ｗ１に向けて芳香成分を供給する際の発射状況が示され、図６(Ｂ)には机１３の他端側で作業する作業者Ｗ２に向けて芳香成分を供給する際の発射状況が示されている。なお、図４に示す部品と同一の部品にあっては、同一の符号を付してその説明を省略する。
【００２９】
図６(Ａ)および(Ｂ)に示すように、事務室等の机１３に設置される供給装置４０は、机１３に固定されるメインユニット４１を有している。このメインユニット４１には図２に示す芳香供給ユニット１６やオゾン供給ユニット２１等が組み込まれている。また、メインユニット４１のベース部材である筐体４１ａには空気砲１１，１２が回動自在に設けられており、これらの空気砲１１，１２は図示しない回転モータによって回動される。そして、それぞれの空気砲１１，１２は、図６(Ａ)に示すように作業者Ｗ１に向かう発射位置と、図６(Ｂ)に示すように作業者Ｗ２に向かう発射位置とに回動するようになっている。
【００３０】
作業者Ｗ１に芳香成分を供給する場合には、制御ユニット３４からの制御信号に基づいて回転モータが駆動制御され、図６(Ａ)に示すように、それぞれの空気砲１１，１２が作業者Ｗ１に向けて回動する。そして、双方の空気砲１１，１２から渦輪Ｖ１，Ｖ２を発射させることにより、作業者Ｗ１の鼻先に設定される効能領域Ａ１に芳香成分を拡散させることが可能となる。一方、作業者Ｗ２に芳香成分を供給する場合には、制御ユニット３４からの制御信号に基づいて回転モータが駆動制御され、図６(Ｂ)に示すように、それぞれの空気砲１１，１２が作業者Ｗ２に向けて回動する。そして、双方の空気砲１１，１２から渦輪Ｖ１，Ｖ２を発射させることにより、作業者Ｗ２の鼻先に設定された効能領域Ａ２に芳香成分を拡散させることが可能となる。
【００３１】
これまで説明したように、芳香供給ユニット１６等を備えるメインユニット４１に対して空気砲１１，１２を一体に設けるようにしたので、供給装置４０の小型化を達成することが可能となる。しかも、間隔を空けて配置される空気砲１１，１２の間に芳香供給ユニット１６等を配置することから、スペースを有効に利用して供給装置４０の小型化を達成することが可能となる。さらに、空気砲１１，１２を別個に回動させるようにしたので、渦輪Ｖ１，Ｖ２が互いに衝突するまでの距離を変化させながら効能領域を設定することが可能となる。ここで、図７は供給装置４０による効能領域の設定範囲を示す説明図である。図７に示すように、空気砲１１，１２を別個に回動させるようにすると、渦輪Ｖ１の移動軌跡と渦輪Ｖ２の移動軌跡とを任意の位置で交差させることができるため、符号βで示すように幅広い範囲内に効能領域を設定することが可能となる。
【００３２】
次いで、本発明の他の実施の形態である室内用効能成分供給装置５０(以下、供給装置という)について説明する。図８(Ａ)および(Ｂ)は本発明の他の実施の形態である供給装置５０を示す説明図である。図８(Ａ)には机１３の一端側で作業する作業者Ｗ１に向けて芳香成分を供給する際の発射状況が示され、図８(Ｂ)には机１３の他端側で作業する作業者Ｗ２に向けて芳香成分を供給する際の発射状況が示されている。なお、図４に示す部品と同一の部品にあっては、同一の符号を付してその説明を省略する。
【００３３】
図８(Ａ)および(Ｂ)に示すように、事務室等の机１３に設置される供給装置５０は、机１３に固定されるメインユニット５１を有している。このメインユニット５１には図２に示す芳香供給ユニット１６やオゾン供給ユニット２１等が組み込まれている。また、メインユニット５１から延びるベース部材５１ａには空気砲１１，１２が回動自在に設けられており、これらの空気砲１１，１２は図示しない回転モータによって回動されている。そして、それぞれの空気砲１１，１２は、図８(Ａ)に示すように作業者Ｗ１に向かう発射位置と、図８(Ｂ)に示すように作業者Ｗ２に向かう発射位置とに回動するようになっている。
【００３４】
作業者Ｗ１に芳香成分を供給する場合には、制御ユニット３４からの制御信号に基づいて回転モータが駆動制御され、図８(Ａ)に示すように、それぞれの空気砲１１，１２が作業者Ｗ１に向けて回動する。そして、双方の空気砲１１，１２から渦輪Ｖ１，Ｖ２を発射させることにより、作業者Ｗ１の鼻先に設定される効能領域Ａ１に芳香成分を拡散させることが可能となる。一方、作業者Ｗ２に芳香成分を供給する場合には、制御ユニット３４からの制御信号に基づいて回転モータ３２が駆動制御され、図８(Ｂ)に示すように、それぞれの空気砲１１，１２が作業者Ｗ２に向けて回動する。そして、双方の空気砲１１，１２から渦輪Ｖ１，Ｖ２を発射させることにより、作業者Ｗ２の鼻先に設定された効能領域Ａ２に芳香成分を拡散させることが可能となる。
【００３５】
これまで説明したように、芳香供給ユニット１６等を備えるメインユニット５１に対して空気砲１１，１２を一体に設けるようにしたので、供給装置５０の小型化を達成することが可能となる。しかも、間隔を空けて配置される空気砲１１，１２の間に芳香供給ユニット１６等を配置することから、スペースを有効に利用して供給装置５０の小型化を達成することが可能となる。さらに、空気砲１１，１２を別個に回動させるようにしたので、渦輪Ｖ１，Ｖ２が互いに衝突するまでの距離を変化させながら効能領域を設定することが可能となる。ここで、図９は供給装置５０による効能領域の設定範囲を示す説明図である。図９に示すように、空気砲１１，１２を別個に回動させるようにすると、渦輪Ｖ１の移動軌跡と渦輪Ｖ２の移動軌跡とを任意の位置で交差させることができるため、符号γで示すように幅広い範囲内に効能領域を設定することが可能となる。
【００３６】
なお、図６や図８に示す場合にあっては、双方の空気砲１１，１２を回動させるようにしているが、これに限られることはなく、空気砲１１，１２のいずれか一方だけを回動させるようにしても良い。このように、一方の空気砲１１，１２だけを回動させた場合であっても、メインユニット１４からの距離を可変させながら効能領域を設定することが可能となる。さらに、空気砲１１，１２を図６(Ａ)や図８(Ａ)に示す位置を超えて回動させるようにしても良く、空気砲１１，１２を図６(Ｂ)や図８(Ｂ)に示す位置を超えて回動させるようにしても良い。なお、図６や図８に示す供給装置４０，５０であっても、メインユニット４１，５１内にオゾン供給ユニット２１が組み込まれるため、芳香成分を切り換える際に第１消臭モードを実行して芳香供給ユニット１６内を消臭したり、第２消臭モードを実行して室内に残存する芳香成分を消臭したりすることが可能である。
【００３７】
本発明は前記実施の形態に限定されるものではなく、その要旨を逸脱しない範囲で種々変更可能であることはいうまでもない。たとえば、前述の説明では、事務室に供給装置１０を設置しているが、これに限られることはなく、効能成分によるリフレッシュ効果やリラックス効果等が望まれる様々な環境に設置することが可能である。例えば、管制室、会議室、教室、家庭等に供給装置１０を設置しても良い。
【００３８】
また、前述の説明では、効能成分として芳香成分やオゾンを用いるようにしているが、これに限られることはなく、効能成分としてマイクロミスト(空気中に浮遊する水分粒子)や酸素を発生させ、これらの効能成分を作業者Ｗに対して供給するようにしても良い。また、オゾン供給ユニット２１によってオゾンを生成するため、放電部２２に対して空気を供給しているが、放電部２２に対して酸素を供給するようにしても良く、放電部２２に対して乾燥させた空気を供給するようにしても良い。
【００３９】
また、図３に示す場合には、電動モータを駆動してロッド部材１１ｄ，１２ｄを突出させることにより、空気砲１１，１２から渦輪Ｖ１，Ｖ２を発射させるようにしているが、この構造に限られることはなく、空気砲１１，１２に対して電磁コイルと可動鉄心とを組み込むことにより、電磁力を用いて空気砲から渦輪Ｖ１，Ｖ２を発射させるようにしても良い。さらに、空気砲１１，１２は蛇腹形状のポンプ本体１１ａ，１２ａを備えているが、ダイアフラムを用いて空気を押し出すようにしても良い。なお、空気砲１１，１２から環状の渦輪Ｖ１，Ｖ２を発射するようにしているが、空気渦の形状としては、環状に限られることはなく、まとまった形状で所定距離を飛ばすことが可能であれば、いかなる形状の空気渦であっても良い。
【図面の簡単な説明】
【００４０】
【図１】本発明の一実施の形態である室内用効能成分供給装置の利用状況を示す説明図である。
【図２】室内用効能成分供給装置の構成を示すブロック図である。
【図３】(Ａ)および(Ｂ)は室内用効能成分供給装置が備える空気砲の内部構造を示す説明図である。
【図４】(Ａ)は机の一端側で作業する作業者に向けて芳香成分を供給する際の発射状況を示す説明図であり、(Ｂ)は机の他端側で作業する作業者に向けて芳香成分を供給する際の発射状況を示す説明図である。
【図５】室内用効能成分供給装置による効能領域の設定範囲を示す説明図である。
【図６】(Ａ)および(Ｂ)は本発明の他の実施の形態である室内用効能成分供給装置を示す説明図である。
【図７】室内用効能成分供給装置による効能領域の設定範囲を示す説明図である。
【図８】(Ａ)および(Ｂ)は本発明の他の実施の形態である室内用効能成分供給装置を示す説明図である。
【図９】室内用効能成分供給装置による効能領域の設定範囲を示す説明図である。
【符号の説明】
【００４１】
１０    供給装置(室内用効能成分供給装置)
１１    空気砲(第１発射手段)
１２    空気砲(第２発射手段)
１４    メインユニット
１６    芳香供給ユニット(成分供給手段，芳香供給部)
２１    オゾン供給ユニット(成分供給手段，オゾン供給部)
３６    カメラ(位置検出手段)
４０    供給装置(室内用効能成分供給装置)
４１    メインユニット
４１ａ  筐体(ベース部材)
５０    供給装置(室内用効能成分供給装置)
５１    メインユニット
５１ａ  ベース部材
Ｖ１    渦輪(第１空気渦)
Ｖ２    渦輪(第２空気渦)
【図１】
2010022577.tif 000003
【図２】
2010022577.tif 000004
【図３】
2010022577.tif 000005
【図４】
2010022577.tif 000006
【図５】
2010022577.tif 000007
【図６】
2010022577.tif 000008
【図７】
2010022577.tif 000009
【図８】
2010022577.tif 000010
【図９】
2010022577.tif 000011